(57)【要約】【課題】中間部分の強度を高くできる樹脂材料により一体成形されるエアーバッグおよびこのエアーバッグを備えるマッサージ椅子を提供する。【解決手段】マッサージ椅子は、樹脂材料により一体成形されるマッサージ部６０を有する。マッサージ部６０は、エアーが供給および排出される第１空気室６１と、エアーが供給および排出される第２空気室６２と、第１空気室６１および第２空気室６２との間に形成される中間部分６０Ｃを有する。中間部分６０Ｃは、肉薄部６７および肉薄部６７を補強する補強部６８を有する。補強部６８は、肉薄部６７と一体的に形成され、肉薄部６７よりも厚い。【選択図】図３
2014014437.tif 000002
【特許請求の範囲】
【請求項１】
エアーが供給および排出される第１空気室と、エアーが供給および排出される第２空気室と、前記第１空気室および前記第２空気室の間に形成される中間部分を有する樹脂材料により一体成形されるエアーバッグであって、
前記中間部分は、肉薄部および前記肉薄部を補強する補強部を有し、
前記補強部は、前記肉薄部と一体的に成形され、前記肉薄部よりも厚い
樹脂材料により一体成形されるエアーバッグ。
【請求項２】
前記中間部分は、第１供給口と、第２供給口と、前記第１空気室および前記第１供給口を連通する第１管路部と、前記第２空気室および前記第２供給口を連通する第２管路部とを有し、
前記中間部分は、前記第１管路部の前記第２空気室側の端部と前記第２管路部の前記第１空気室側の端部とが隣り合う部分に前記肉薄部としての中間肉薄部を有し、
前記補強部は、前記中間肉薄部の上方および下方の少なくとも一方において前記第１管路部および前記第２管路部の長手方向に延びる
請求項１に記載の樹脂材料により一体成形されるエアーバッグ。
【請求項３】
エアーが供給および排出される第１空気室と、エアーが供給および排出される第２空気室と、前記第１空気室および前記第２空気室の間に形成される中間部分を有する樹脂材料により一体成形されるエアーバッグであって、
前記エアーバッグは、折曲方向に沿って折り曲げられて支持部に配置され、
前記中間部分は、第１供給口と、第２供給口と、前記第１空気室および前記第１供給口を連通する第１管路部と、前記第２空気室および前記第２供給口を連通する第２管路部と、肉薄部とを有し、
前記肉薄部は、前記第１管路部の前記第２空気室側の端部と前記第２管路部の前記第１空気室側の端部とが隣り合う部分に中間肉薄部を有し、
前記中間肉薄部は、前記折曲方向に対して傾斜する方向に延びる
樹脂材料により一体成形されるエアーバッグ。
【請求項４】
オットマンを有するマッサージ椅子であって、
前記マッサージ椅子は、請求項１または２に記載の樹脂材料により一体成形されるエアーバッグを有し、
前記オットマンは、右脚および左脚をそれぞれ嵌め込むための溝部を有し、
前記溝部は、内側面および前記内側面に対向する外側面を有し、
前記エアーバッグは、前記内側面および前記外側面の一方に前記第１空気室および前記第２空気室の一方が配置され、前記内側面および前記外側面の他方に前記第１空気室および前記第２空気室の他方が配置される
マッサージ椅子。
【請求項５】
前記オットマンは、足裏を支持する足裏支持部を有し、
前記足裏支持部は、前記足裏に向けて突出する施療用突起を有し、
前記エアーバッグは、前記第１空気室および前記第２空気室が膨張することにより前記足裏を前記内側面側および前記外側面側に移動させる
請求項４に記載のマッサージ椅子。
【請求項６】
前記オットマンは、足裏を支持する足裏支持部を有し、
前記足裏支持部は、電熱線を有し、
前記電熱線は、前記足裏支持部の足裏支持面において、前記内側面から前記外側面に向かう幅方向に沿う部分の長さが前記幅方向と直交する奥行方向に沿う部分の長さよりも長い
請求項４または５に記載のマッサージ椅子。
【発明の詳細な説明】
【技術分野】
【０００１】
本発明は、樹脂材料により一体成形されるエアーバッグ、およびエアーバッグを備えるマッサージ椅子に関する。
【背景技術】
【０００２】
特許文献１のエアーバッグは、エアーが供給および排出される第１空気室と、エアーが供給および排出される第２空気室と、第１空気室および第２空気室を接続する中間部分を有する。このエアーバッグの中間部分は、肉薄部を有する。
【先行技術文献】
【特許文献】
【０００３】
【特許文献１】特開２０１２−７０７６８号公報
【発明の概要】
【発明が解決しようとする課題】
【０００４】
上記のエアーバッグは、例えば組み付け時において肉薄部に負荷がかかることにより中間部分が変形し、第１空気室および第２空気室が所望の位置からずれるおそれがある。
本発明は、以上の背景をもとに創作されたものであり、中間部分の強度を高くできる樹脂材料により一体成形されるエアーバッグおよびこのエアーバッグを備えるマッサージ椅子を提供することを目的とする。
【課題を解決するための手段】
【０００５】
本発明の樹脂材料により一体成形されるエアーバッグは、エアーが供給および排出される第１空気室と、エアーが供給および排出される第２空気室と、前記第１空気室および前記第２空気室の間に形成される中間部分を有する樹脂材料により一体成形されるエアーバッグであって、前記中間部分は、肉薄部および前記肉薄部を補強する補強部を有し、前記補強部は、前記肉薄部と一体的に形成され、前記肉薄部よりも厚い。
【０００６】
この樹脂材料により一体形成されるエアーバッグは、前記中間部分は、第１供給口と、第２供給口と、前記第１空気室および前記第１供給口を連通する第１管路部と、前記第２空気室および前記第２供給口を連通する第２管路部とを有し、前記中間部分は、前記第１管路部の前記第２空気室側の端部と前記第２管路部の前記第１空気室側の端部とが隣り合う部分に前記肉薄部としての中間肉薄部を有し、前記補強部は、前記中間肉薄部の上方および下方の少なくとも一方において前記第１管路部および前記第２管路部の長手方向に延びることが好ましい。
【０００７】
本発明の樹脂材料により一体成形されるエアーバッグは、  エアーが供給および排出される第１空気室と、エアーが供給および排出される第２空気室と、前記第１空気室および前記第２空気室の間に形成される中間部分を有する樹脂材料により一体成形されるエアーバッグであって、前記エアーバッグは、折曲方向に沿って折り曲げられて支持部に配置され、前記中間部分は、第１供給口と、第２供給口と、前記第１空気室および前記第１供給口を連通する第１管路部と、前記第２空気室および前記第２供給口を連通する第２管路部と、肉薄部とを有し、前記肉薄部は、前記第１管路部の前記第２空気室側の端部と前記第２管路部の前記第１空気室側の端部とが隣り合う部分に中間肉薄部を有し、前記中間肉薄部は、前記折曲方向に対して傾斜する方向に延びる。
【０００８】
本発明のマッサージ椅子は、オットマンを有するマッサージ椅子であって、前記マッサージ椅子は、エアーが供給および排出される第１空気室と、エアーが供給および排出される第２空気室と、前記第１空気室および前記第２空気室を接続する中間部分を有するエアーバッグであって、前記中間部分は、前記肉薄部を補強する補強部を有し、前記補強部は、前記肉薄部と一体的に形成され、前記肉薄部よりも厚い樹脂材料により一体形成されるエアーバッグを有し、前記オットマンは、右脚および左脚をそれぞれ嵌め込むための溝部を有し、前記溝部は、内側面および前記内側面に対向する外側面を有し、前記エアーバッグは、前記内側面および前記外側面の一方に前記第１空気室および前記第２空気室の一方が配置され、前記内側面および前記外側面の他方に前記第１空気室および前記第２空気室の他方が配置される。
【０００９】
このマッサージ椅子は、前記オットマンは、足裏を支持する足裏支持部を有し、前記足裏支持部は、前記足裏に向けて突出する施療用突起を有し、前記エアーバッグは、前記第１空気室および前記第２空気室が膨張することにより前記足裏を前記内側面側および前記外側面側に移動させることが好ましい。
【００１０】
このマッサージ椅子は、前記オットマンは、足裏を支持する足裏支持部を有し、前記足裏支持部は、電熱線を有し、前記電熱線は、前記足裏支持部の足裏支持面において、前記内側面から前記外側面に向かう幅方向に沿う部分の長さが前記幅方向と直交する奥行方向に沿う部分の長さよりも長いことが好ましい。
【発明の効果】
【００１１】
本発明は、中間部分の強度を高くできる樹脂材料により一体成形されるエアーバッグおよびこのエアーバッグを備えるマッサージ椅子を提供する。
【図面の簡単な説明】
【００１２】
【図１】第１実施形態のマッサージ機に関する斜視図であり、マッサージ機の全体構造を示す斜視図。
【図２】第１実施形態のオットマンに関する正面図であり、オットマンの全体構造を示す正面図。
【図３】第１実施形態の上部マッサージ部に関する正面図であり、折り曲げていない状態の上部マッサージ部の全体構造を示す正面図。
【図４】第１実施形態の上部マッサージ部に関する断面図であり、図３のＺ４−Ｚ４線に沿う断面構造を示す断面図。
【図５】第１実施形態の足裏支持部に関する平面図であり、足裏支持部の平面構造を示す平面図。
【図６】第２実施形態の上部マッサージ部に関する正面図であり、折り曲げていない状態の上部マッサージ部の全体構造を示す正面図。
【図７】変形例の上部マッサージ部に関する正面図であり、折り曲げていない状態の上部マッサージ部の全体構造を示す正面図。
【発明を実施するための形態】
【００１３】
（第１実施形態）
図１に示されるように、マッサージ椅子１は、本体１０、座部１１、背もたれ１２、肘掛１３、オットマン２０、および供給装置８０を有する。
【００１４】
オットマン２０は、脚支持部３０および足裏支持部７０を有する。脚支持部３０は、座部１１に対して回転可能に取り付けられる。足裏支持部７０は、脚支持部３０に対して回転可能に取り付けられる。オットマン２０の状態は、脚支持部３０および足裏支持部７０が回転することにより、リクライニング状態と、足裏支持状態との間で変更される。
【００１５】
リクライニング状態は、脚支持部３０の脚裏面３４および足裏支持部７０の足裏支持面７１が平行する。オットマン２０は、リクライニング状態のとき、脚支持部３０が上腿を下方から支持し、足裏支持部７０が下腿を下方から支持する。
【００１６】
足裏支持状態は、脚支持部３０の脚裏面３４および足裏支持部７０の足裏支持面７１が略直交する（図２参照）。オットマン２０は、足裏支持状態のとき、脚支持部３０が上腿を背面から支持し、足裏支持部７０が足裏を下方から支持する。
【００１７】
図２を参照して、オットマン２０の構造について詳述する。以下では、オットマン２０が足裏支持状態のときの上方および下方を含む方向を高さ方向とする。オットマン２０が足裏支持状態のときの前方および後方を含む方向を奥行方向とする。オットマン２０が足裏支持状態のときの右方および左方を含む方向を幅方向とする。なお、図２は、脚支持部３０および足裏支持部７０の連結部分を省略している。
【００１８】
脚支持部３０は、右脚および左脚をそれぞれ嵌め込むための２つの溝部３１を有する。各溝部３１は、内側面３２、外側面３３、脚裏面３４、脚裏マッサージ部４０、上部マッサージ部５０、下部マッサージ部６０を有する。なお、幅方向において、右脚に対応する部位について、内側は左方側と対応し、外側は右方側と対応する。また、幅方向において、左脚に対応する部位について、内側は右方側と対応し、外側は左方側と対応する。下部マッサージ部６０は、「エアーバッグ」に相当する。
【００１９】
脚裏マッサージ部４０は、上部マッサージ部５０および下部マッサージ部６０よりも前方に配置される。
脚裏マッサージ部４０は、裏側空気室４１および供給口４２を有する。裏側空気室４１は、供給口４２からのエアーの供給および排出にともなって膨張および収縮する。供給口４２は、裏側空気室４１および供給装置８０（図１参照）を互いに接続する。脚裏マッサージ部４０は、脚裏面３４に沿って配置される。
【００２０】
上部マッサージ部５０は、内側空気室５１、外側空気室５２、２つの連通部５３、および供給口５４を有する。内側空気室５１および外側空気室５２は、供給口５４からのエアーの供給および排出にともなって膨張および収縮する。
【００２１】
２つの連通部５３は、内側空気室５１および外側空気室５２の間に高さ方向に並んで配置される。各連通部５３は、内側空気室５１および外側空気室５２を互いに連通する。供給口５４は、上側の連通部５３および供給装置８０（図１参照）を互いに接続する。内側空気室５１は、内側面３２に配置される。外側空気室５２は、外側面３３に配置される。連通部５３は、脚裏面３４に配置される。
【００２２】
上部マッサージ部５０は、内側空気室５１および連通部５３の境界と、外側空気室５２および連通部５３の境界とにおいて折り曲げられる。すなわち、上部マッサージ部５０は、内側面３２、脚裏面３４、および外側面３３にわたって折り曲げられて配置される。
【００２３】
下部マッサージ部６０は、上部マッサージ部５０よりも上方に配置される。
下部マッサージ部６０は、第１部分６０Ａ、第２部分６０Ｂ、および中間部分６０Ｃを有する。第１部分６０Ａおよび第２部分６０Ｂは、中間部分６０Ｃにより互いに接続される。
【００２４】
第１部分６０Ａは、第１空気室６１を有する。第２部分６０Ｂは、第２空気室６２を有する。中間部分６０Ｃは、第１管路部６３、第１供給口６４、第２管路部６５、第２供給口６６、肉薄部６７、補強部６８、および補助補強部６９を有する。
【００２５】
第１空気室６１は、第１供給口６４からのエアーの供給および排出にともなって膨張および収縮する。第２空気室６２は、第２供給口６６からのエアーの供給および排出にともなって膨張および収縮する。
【００２６】
第１部分６０Ａは、内側面３２に配置される。第２部分６０Ｂは、外側面３３に配置される。中間部分６０Ｃは、脚裏面３４に配置される。
下部マッサージ部６０は、第１部分６０Ａおよび中間部分６０Ｃの境界と、第２部分６０Ｂおよび中間部分６０Ｃの境界とにおいて折り曲げられる。すなわち、下部マッサージ部６０は、内側面３２、脚裏面３４、および外側面３３にわたって折り曲げられて配置される。
【００２７】
図３を参照して、下部マッサージ部６０の構造について詳述する。なお、図３は、図２の下部マッサージ部６０を折り曲げていない状態を示している。
第１管路部６３は、第２空気室６２側の端部である先端部６３Ａ、および第１空気室６１と接続される基端部６３Ｂを有する。第１管路部６３は、第１空気室６１から第２空気室６２に向かって延びる。先端部６３Ａは、中間部分６０Ｃの中央よりも第１空気室６１側に形成される。第１管路部６３は、第１空気室６１と、先端部６３Ａに形成される第１供給口６４とを連通する。第１供給口６４は、第１管路部６３および供給装置８０（図１参照）を互いに接続する。
【００２８】
第２管路部６５は、第１空気室６１側の端部である先端部６５Ａ、および第２空気室６２と接続される基端部６５Ｂを有する。第２管路部６５は、第２空気室６２から第１空気室６１に向かって延びる。先端部６５Ａは、中間部分６０Ｃの中央よりも第２空気室６２側に形成される。第２管路部６５は、第２空気室６２と、先端部６３Ａに形成される第２供給口６６とを連通する。第２供給口６６は、第２管路部６５および供給装置８０（図１参照）を互いに接続する。
【００２９】
第１管路部６３および第２管路部６５の長手方向は、幅方向に平行する。また、第１管路部６３および第２管路部６５は、高さ方向において同じ位置に形成される。
肉薄部６７は、中間肉薄部６７Ａ、上部肉薄部６７Ｂ、および下部肉薄部６７Ｃを有する。上部肉薄部６７Ｂは、第１管路部６３および第２管路部６５の上方に形成される。下部肉薄部６７Ｃは、第１管路部６３および第２管路部６５の下方に形成される。中間肉薄部６７Ａは、先端部６３Ａおよび先端部６５Ａの間に形成される。
【００３０】
下部肉薄部６７Ｃは、第１管路部６３の下方および第２管路部６５の下方に脚支持部３０にねじ３５（図２参照）を介して取り付けるための取付孔６７Ｄを有する。
補強部６８は、上部肉薄部６７Ｂに形成される。補強部６８は、第１管路部６３および第２管路部６５の長手方向に沿って延びる。補強部６８の第１空気室６１側の第１端部６８Ａは、基端部６３Ｂ付近かつ基端部６３Ｂよりも第２空気室６２側に位置する。補強部６８の第２空気室６２側の第２端部６８Ｂは、基端部６５Ｂ付近かつ基端部６５Ｂよりも第１空気室６１側に位置する。補強部６８は、第１空気室６１、第２空気室６２、第１管路部６３、および第２管路部６５に接しない。
【００３１】
補助補強部６９は、第１補助補強部６９Ａ、第２補助補強部６９Ｂ、および第３補助補強部６９Ｃを有する。
第１補助補強部６９Ａは、下部肉薄部６７Ｃにおいて第１管路部６３の下方に形成される。第１補助補強部６９Ａの幅方向の大きさは、第１管路部６３の幅方向の大きさよりも小さい。
【００３２】
第２補助補強部６９Ｂは、下部肉薄部６７Ｃにおいて第２管路部６５の下方に形成される。第２補助補強部６９Ｂの幅方向の大きさは、第２管路部６５の幅方向の大きさよりも小さい。
【００３３】
第３補助補強部６９Ｃは、下部肉薄部６７Ｃにおいて中間肉薄部６７Ａの下方に形成される。第３補助補強部６９Ｃの幅方向の大きさは、下部肉薄部６７Ｃの幅方向の大きさよりも大きい。
【００３４】
図４に示されるように、補強部６８の厚さ（以下、「補強部厚ＨＢ」）は、中間肉薄部の厚さ（以下、「肉薄部厚ＨＡ」）よりも厚い。補助補強部６９の厚さ（以下、「補助補強部厚ＨＣ」）は、肉薄部厚ＨＡよりも厚い。また、補強部厚ＨＢは、補助補強部厚ＨＣよりも厚い。
【００３５】
下部マッサージ部６０のエアーの供給態様について説明する。
右側の下部マッサージ部６０の第１空気室６１および左側の下部マッサージ部６０の第１空気室６１は、同一の供給系統を介して供給装置８０（図１参照）によりエアーの供給および排出が行われる。
【００３６】
右側の下部マッサージ部６０の第２空気室６２および左側の下部マッサージ部６０の第２空気室６２は、同一の供給系統を介して供給装置８０（図１参照）によりエアーの供給および排出が行われる。
【００３７】
すなわち、右側の下部マッサージ部６０および左側の下部マッサージ部６０において、各第１空気室６１は同時に膨張および収縮する。右側の下部マッサージ部６０および左側の下部マッサージ部６０において、各第２空気室６２は同時に膨張および収縮する。
【００３８】
下部マッサージ部６０の製造方法について説明する。
下部マッサージ部６０は、樹脂材料としての低密度ポリエチレンにより形成される。下部マッサージ部６０は、一体成形される。
【００３９】
下部マッサージ部６０は、ブロー成形により成形される。具体的には、下部マッサージ部６０は、円筒状のフィルムを金型に挟みこみ、フィルムの間に圧縮空気を送出してフィルムを金型に押し付けることにより製造される。補強部６８および補助補強部６９は、金型に形成される樹脂だまり部にフィルムの樹脂がたまることにより形成される。これにより、肉薄部厚ＨＡは、フィルムを２枚重ねた厚さ以下になる。補強部厚ＨＢおよび補助補強部厚ＨＣは、フィルムを２枚重ねた厚さよりも厚くなる。また、第１空気室６１、第２空気室６２、第１管路部６３、第１供給口６４、第２管路部６５、および第２供給口６６は、それぞれ内部においてエアーの流通が許容される。肉薄部６７、補強部６８、および補助補強部６９は、エアーの流通を遮断する部分として形成される。
【００４０】
下部マッサージ部６０の作用について説明する。
下部マッサージ部６０は、第１部分６０Ａおよび中間部分６０Ｃの境界と、第２部分６０Ｂおよび中間部分６０Ｃの境界と比較して、中間肉薄部６７Ａに負荷がかかりやすい。このため、補強部６８および補助補強部６９を有しない仮想の下部マッサージ部を溝部３１の形状に沿わせて曲げたとき、仮想の下部マッサージ部は、中間肉薄部６７Ａにおいて第１部分６０Ａおよび第２部分６０Ｂが近づく方向に曲がりやすい。
【００４１】
下部マッサージ部６０は、中間肉薄部６７Ａよりも厚い補強部６８および第３補助補強部６９Ｃを有するため、中間肉薄部６７Ａにおいて第１部分６０Ａおよび第２部分６０Ｂが近づく方向に曲がりにくくなる。
【００４２】
なお、上部マッサージ部５０は、連通部５３が内側空気室５１から外側空気室５２までにわたり連続しているため、内側空気室５１および外側空気室５２の間において比較的曲がりにくい。
【００４３】
図５を参照して、足裏支持部７０の構造について説明する。
足裏支持部７０は、右側の足裏Ｆを支持する右側の足裏支持面７１、左側の足裏Ｆを支持する左側の足裏支持面７１、足裏移動機構７２、施療用突起７３、および電熱線７４を有する。足裏支持面７１は、足裏Ｆの中央部分が配置される位置に出没孔７１Ａを有する。なお、図５中においては、電熱線７４および施療用突起７３を覆うカバーを省略している。
【００４４】
施療用突起７３は、出没孔７１Ａから突出および出没孔７１Ａよりも下方に埋没することができる。図示しないが、足裏支持部７０は、施療用突起７３の下部には施療用突起７３を上方および下方に移動させるための突出機構を有する。
【００４５】
電熱線７４は、各足裏支持面７１に配置されている。電熱線７４は、幅方向に沿う幅部分７５、および奥行方向に沿う奥行部分７６を有する。幅部分７５および奥行部分７６が連続することにより、電熱線７４は、蛇行した形状を有する。幅部分７５の長さは、奥行部分７６の長さよりも長い。具体的には、各幅部分７５の長さの合計は、各奥行部分７６の長さの合計よりも長い。
【００４６】
足裏移動機構７２は、各足裏支持面７１の内側および外側に配置される。各足裏移動機構７２は、供給装置８０からのエアーの供給およびエアーの排出により膨張および収縮する。内側の足裏移動機構７２および外側の足裏移動機構７２が交互に膨張および収縮することにより、足裏Ｆを内側および外側に移動させる。
【００４７】
足裏移動機構７２の膨張および収縮は、下部マッサージ部６０の第１空気室６１および第２空気室６２の膨張および収縮と同時に実行される。すなわち、第１空気室６１が膨張し、第２空気室６２が収縮するとき、内側の足裏移動機構７２が膨張し、外側の足裏移動機構７２が収縮する。また、第１空気室６１が収縮し、第２空気室６２が膨張するとき、内側の足裏移動機構７２が収縮し、外側の足裏移動機構７２が膨張する。これにより、右側および左側の足裏Ｆは、内側および外側に移動する。
【００４８】
足裏支持部７０の作用について説明する。
足裏移動機構７２は、足裏Ｆを内側および外側に向かって交互に移動させる。このため、足裏Ｆは、施療用突起７３の上を移動する。これにより、施療用突起７３は、足裏Ｆの複数の部分に刺激を付与する。
【００４９】
電熱線７４は、幅部分７５の長さが奥行部分７６の長さよりも長い。すなわち、足裏Ｆの移動方向に沿う部分が、足裏Ｆの移動方向と直交する方向よりも長い。このため、奥行部分７６の長さが幅部分７５の長さがよりも長い構成と比較して、足裏Ｆが移動するときの、電熱線７４の引きずりを低減できる。
【００５０】
本実施形態のマッサージ椅子１は、以下の効果を奏する。
（１）下部マッサージ部６０は、肉薄部６７と一体的に成形される補強部６８を有する。このため、肉薄部６７を有する中間部分６０Ｃの強度を高めることができる。これにより、下部マッサージ部６０を脚支持部３０に取り付けたとき、中間部分６０Ｃが変形することにより第１空気室６１および第２空気室６２が所望の位置からずれることを抑制できる。また、下部マッサージ部６０を製造するときの肉だまりにより補強部６８を形成する。このため、別体の補強部６８で肉薄部６７を補強する構成と比較して、部品点数を少なくすることができる。
【００５１】
（２）下部マッサージ部６０は、第１空気室６１および第２空気室６２を有する。このため、１つの空気室を有する２つの下部マッサージ部を内側面３２および外側面３３にそれぞれ配置するマッサージ椅子１と比較して、下部マッサージ部６０の脚支持部３０へのねじ３５による取り付け箇所を少なくすることができる。このため、下部マッサージ部６０は、１つの空気室を有する２つの下部マッサージ部を脚支持部３０に取り付ける場合と比較して、より小さい場所に取り付けることができる。
【００５２】
（３）補強部６８は、中間肉薄部６７Ａの上方において第１管路部６３および第２管路部６５の長手方向に延びる。このため、中間肉薄部６７Ａに負荷がかかりにくくなる。これにより、中間肉薄部６７Ａが補強され、中間部分６０Ｃの変形が抑制される。
【００５３】
（４）補強部６８は、第１管路部６３および第２管路部６５の長手方向のほぼ全体に沿って形成される、このため、下部マッサージ部６０は、第１管路部６３および第２管路部６５の中間部分おいて曲がりにくい。一方、第１管路部６３の基端部６３Ｂの上方、および第２管路部６５の基端部６５Ｂの上方には補強部６８が形成されないため、下部マッサージ部６０は基端部６３Ｂ、および基端部６５Ｂにおいて曲がりやすい。すなわち、下部マッサージ部６０は、溝部３１に沿わせて曲げやすい。
【００５４】
（５）足裏支持部７０は、施療用突起７３を有する。このため、下部マッサージ部６０が足裏Ｆを内側および外側に移動させるとき、足裏支持部７０は、足裏Ｆの移動により足裏Ｆの複数の箇所に施療用突起７３の刺激を付与することができる。
【００５５】
（６）足裏支持部７０は、幅部分７５の長さが奥行部分７６の長さよりも長い電熱線７４を有する。このため、幅部分７５の長さが奥行部分７６の長さよりも短い電熱線７４を有する構成と比較して、下部マッサージ部６０が、足裏Ｆを内側および外側に移動させるときの電熱線７４の引きずりが小さい。すなわち、足裏Ｆの移動による電熱線７４の負荷が小さくなる。
【００５６】
（７）下部マッサージ部６０は、補助補強部６９を有する。補助補強部厚ＨＣは、下部肉薄部６７Ｃの肉薄部厚ＨＡよりも厚い。すなわち、補助補強部６９は、下部肉薄部６７Ｃを補強するため、下部肉薄部６７Ｃの変形を抑制することができる。
【００５７】
（８）下部マッサージ部６０は、第３補助補強部６９Ｃを有する。第３補助補強部６９Ｃは、中間肉薄部６７Ａの下方に配置されるため、中間肉薄部６７Ａにかかる負荷を低減することができる。
【００５８】
（第２実施形態）
本実施形態のマッサージ椅子１は、第１実施形態のマッサージ椅子１と比較して次の部分において異なる構成を有し、その他の部分において同一の構成を有する。すなわち、下部マッサージ部６０の中間部分６０Ｃに代えて中間部分１６０Ｃを有する下部マッサージ部１６０を有する。なお、第１実施形態と共通する部分については、同一の符号を付して説明を省略する。
【００５９】
図６を参照して、下部マッサージ部１６０の構造について詳述する。なお、図６は、下部マッサージ部６０を折り曲げていない状態を示している。
下部マッサージ部６０は、第１部分６０Ａ、第２部分６０Ｂ、および中間部分１６０Ｃを有する。第１部分６０Ａおよび第２部分６０Ｂは、中間部分１６０Ｃにより互いに接続される。
【００６０】
中間部分１６０Ｃは、第１管路部１６３、第１供給口６４、第２管路部１６５、第２供給口６６、肉薄部１６７、および補助補強部６９を有する。
第１部分６０Ａは、内側面３２（図２参照）に配置される。第２部分６０Ｂは、外側面３３（図２参照）に配置される。中間部分６０Ｃは、脚裏面３４（図２参照）に配置される。
【００６１】
下部マッサージ部６０は、第１部分６０Ａおよび中間部分６０Ｃの境界と、第２部分６０Ｂおよび中間部分６０Ｃの境界とにおいて高さ方向沿って折り曲げられる。すなわち、下部マッサージ部６０は、内側面３２、脚裏面３４、および外側面３３にわたって折り曲げられて配置される。なお、高さ方向が、「折曲方向」に相当する。
【００６２】
第１管路部１６３は、第２空気室６２側の端部である先端部１６３Ａ、および第１空気室６１と接続される基端部６３Ｂを有する。第１管路部１６３は、第１空気室６１から第２空気室６２に向かって延びる。先端部１６３Ａは、中間部分１６０Ｃの中央よりも第２空気室６２側に形成される。
【００６３】
第２管路部１６５は、第１空気室６１側の端部である先端部１６５Ａ、および第２空気室６２と接続される基端部６５Ｂを有する。第２管路部１６５は、第２空気室６２から第１空気室６１に向かって延びる。先端部１６５Ａは、中間部分１６０Ｃの中央よりも第２空気室６２側に形成される。
【００６４】
先端部１６３Ａは、上方から下方に向かうにつれて第２空気室６２側から第１空気室６１側に傾斜する。すなわち、先端部１６３Ａは、高さ方向に対して傾斜する。先端部１６５Ａは、上方から下方に向かうにつれて第２空気室６２側から第１空気室６１側に傾斜する。すなわち、先端部１６５Ａは、高さ方向に対して傾斜する。
【００６５】
第１管路部６３および第２管路部６５の長手方向は、幅方向に平行する。また、第１管路部６３の上端および第２管路部６５の上端は、高さ方向において同じ位置に形成される。第１管路部６３の下端および第２管路部６５の下端は、高さ方向において同じ位置に形成される。先端部１６３Ａおよび先端部１６５Ａは、互いに平行する。先端部１６３Ａの上端は、先端部１６５Ａの下端よりも第２空気室６２側に位置する。
【００６６】
肉薄部６７は、中間肉薄部１６７Ａ、上部肉薄部６７Ｂ、および下部肉薄部６７Ｃを有する。中間肉薄部１６７Ａは、先端部１６３Ａおよび先端部１６５Ａの間に形成される。中間肉薄部１６７Ａは、高さ方向に対して傾斜する長手方向を有する。具体的には、先端部１６３Ａおよび先端部１６５Ａは、高さ方向に対して傾斜し、かつ互いに平行するため、中間肉薄部１６７Ａは、高さ方向に対して傾斜する方向に延びる。
【００６７】
本実施形態のマッサージ椅子１は、第１実施形態の（２）、および（５）〜（８）の効果に加えて以下の効果を奏する。
（９）中間肉薄部１６７Ａは、下部マッサージ部１６０の折曲方向である高さ方向に対して傾斜する。このため、中間部分１６０Ｃは、高さ方向に曲がり難い。また、先端部１６３Ａの上端は、先端部１６５Ａの下端よりも第２空気室６２側に位置する。すなわち、中間部分１６０Ｃは、高さ方向と平行する線上の断面において、常に第１管路部１６３および第２管路部１６５の少なくとも一方を有する。このため、中間部分１６０Ｃは、高さ方向に曲がり難い。このため、下部マッサージ部６０を折り曲げることにより、中間部分１６０Ｃが高さ方向に曲がることが抑制される。
【００６８】
本発明は、上記実施形態以外の実施形態を含む。以下、本発明のその他の実施形態としての上記実施形態の変形例を示す。なお、以下の各変形例は、互いに組み合わせることもできる。
【００６９】
・第１実施形態の下部マッサージ部６０の中間部分６０Ｃは、長手方向が幅方向に平行する長方形状の補強部６８を有する。一方、図７に示される変形例の下部マッサージ部２６０の中間部分２６０Ｃは、幅方向の中央の高さ方向の大きさが幅方向の端部の高さ方向の大きさよりも大きい補強部２６８を有する。この中間部分２６０Ｃは、第１管路部２６３の上端が、第１空気室６１側から第２空気室６２側に向かうにつれて上方から下方に傾斜する。第２管路部２６５の上端が、第２空気室６２側から第１空気室６１側に向かうにつれて上方から下方に傾斜する。このため、上部肉薄部２６７Ｂは、下端が幅方向の端部から中央に向かうにつれて上方から下方に傾斜する。すなわち、上部肉薄部２６７Ｂは、上端を底辺とする三角形状を有する。補強部２６８は、下端が幅方向の中央に向かうにつれて上方から下方に突出する。補強部２６８は、第１管路部２６３の先端部２６３Ａおよび第２管路部２６５の先端部２６５Ａの間においては、上部肉薄部２６７Ｂから、中間肉薄部２６７Ａおよび下部肉薄部２６７Ｃまでにわたり形成される。なお、中間部分２６０Ｃは、第３補助補強部６９Ｃを省略している。
【００７０】
この変形例の中間部分２６０Ｃは、中間部分２６０Ｃの幅方向の中央および中央付近において、補強部２６８の高さ方向の大きさが大きくなるため、断面係数が大きくなる。このため、中間部分２６０Ｃは、曲がり難くなる。
【００７１】
また、上部肉薄部２６７Ｂのうち、補強部２６８の下端および第１管路部２６３の上端の間の部分が高さ方向に対して傾斜し、中間肉薄部２６７Ａのうち高さ方向に平行な補強部２６８および先端部２６３Ａの間の部分に連続する。上部肉薄部２６７Ｂのうち、補強部２６８の下端および第２管路部２６５の上端の間の部分が高さ方向に対して傾斜し、中間肉薄部２６７Ａのうち高さ方向に平行な補強部２６８および先端部２６５Ａの間の部分に連続する。すなわち、肉薄部２６７のうち、中間部分２６０Ｃの上端から下端にわたり連続する部分が屈曲する。このため、中間部分２６０Ｃは、曲がり難くなる。
【００７２】
・第１実施形態の補強部６８は、第１端部６８Ａが第１空気室６１付近に位置する。一方、変形例の補強部６８は、第１端部６８Ａが中間部分６０Ｃの中央付近に位置する。
・第１実施形態の補強部６８は、第２端部６８Ｂが第２空気室６２付近に位置する。一方、変形例の補強部６８は、第２端部６８Ｂが中間部分６０Ｃの中央付近に位置する。
【００７３】
・第１実施形態の補強部６８は、上部肉薄部６７Ｂに形成される。一方、変形例の補強部６８は、下部肉薄部６７Ｃに形成される。
・第２実施形態の下部マッサージ部１６０は、補強部６８を省略している。一方、変形例の下部マッサージ部１６０は、補強部６８を有する。
【００７４】
・第２実施形態の下部マッサージ部１６０は、中間肉薄部１６７Ａが上方から下方に向かうにつれて第２空気室６２側から第１空気室６１側に傾斜する。一方、変形例の下部マッサージ部１６０は、中間肉薄部１６７Ａが上方から下方に向かうにつれて第１空気室６１側から第２空気室６２側に傾斜する。
【００７５】
・第２実施形態の下部マッサージ部１６０は、高さ方向に沿って折り曲げられる。一方、変形例の下部マッサージ部１６０は、高さ方向に対して傾斜した方向（以下、「傾斜方向」）に沿って折り曲げられる。なお、この場合、傾斜方向が、「折曲方向」に相当する。傾斜方向は、例えば、中間肉薄部１６７Ａが上方から下方に向かうにつれて第２空気室６２側から第１空気室６１側に傾斜する。この傾斜方向においては、中間肉薄部１６７Ａは、高さ方向に沿って延びる形状に変更できる。また、中間肉薄部１６７Ａは、中間肉薄部１６７Ａが上方から下方に向かうにつれて第２空気室６２側から第１空気室６１側に傾斜し、かつ傾斜方向とは異なる角度で傾斜する形状に変更できる。
【００７６】
・第１および第２実施形態の下部マッサージ部６０，１６０は、第１補助補強部６９Ａ、第２補助補強部６９Ｂ、および第３補助補強部６９Ｃを有する。一方、変形例の下部マッサージ部６０，１６０は、第１補助補強部６９Ａ、第２補助補強部６９Ｂ、および第３補助補強部６９Ｃの少なくとも１つを省略している。
【００７７】
・第１および第２実施形態の下部マッサージ部６０，１６０は、樹脂材料としての低密度ポリエチレンにより形成される。一方、変形例の下部マッサージ部６０，１６０は、樹脂材料としての低密度ポリエチレン以外のポリエチレンにより形成される。また、さらなる変形例の下部マッサージ部６０，１６０は、樹脂材料としてのポリエチレン以外の熱可塑性樹脂により形成される。すなわち、マッサージ部６０は、肉薄部６７および補強部６８が一体成形され、かつ第１部分６０Ａ、第２部分６０Ｂ、および中間部分６０Ｃを溝部３１に沿わせて配置することができる硬度を有するマッサージ部６０であれば、いずれの樹脂材料を用いることもできる。マッサージ部１６０は、第１部分６０Ａ、第２部分６０Ｂ、および中間部分６０Ｃを溝部３１に沿わせて配置することができる硬度を有するマッサージ部１６０であれば、いずれの樹脂材料を用いることもできる。
【００７８】
・第１および第２実施形態の脚支持部３０は、脚裏マッサージ部４０および上部マッサージ部５０を有する。一方、変形例の脚支持部３０は、脚裏マッサージ部４０および上部マッサージ部５０の少なくとも一方を省略している。
【００７９】
・第１および第２実施形態の電熱線７４は、幅部分７５が奥行部分７６よりも長い。一方、変形例の電熱線７４は、奥行部分７６が幅部分７５よりも長い。
・第１および第２実施形態の電熱線７４は、幅部分７５および奥行部分７６が連続する蛇行した形状を有するが、電熱線７４の形状は、いずれの形状に変更することもできる。
【００８０】
・第１および第２実施形態の足裏支持部７０は、電熱線７４を有する。一方、変形例の足裏支持部７０は、電熱線７４を省略している。
・第１および第２実施形態の足裏支持部７０は、施療用突起７３を有する。一方、変形例の足裏支持部７０は、施療用突起７３を省略している。
【００８１】
・第１および第２実施形態のオットマン２０は、リクライニング状態と足裏支持状態とを有する。一方、変形例のオットマン２０は、リクライニング状態または足裏支持状態の一方のみを有する。
【００８２】
・第１および第２実施形態のオットマン２０は、足裏支持部７０を有する。一方、変形例のオットマン２０は、足裏支持部７０を省略している。
・第１および第２実施形態の下部マッサージ部６０は、脚支持部３０に配置される。一方、変形例の下部マッサージ部６０，１６０は、肘掛１３に配置されて、腕のマッサージを行う。さらなる変形例の下部マッサージ部６０，１６０は、座部１１に配置される。座部１１に配置される場合、下部マッサージ部６０，１６０は、中間部分６０Ｃ，１６０Ｃが座部１１の幅に対応した大きさを有する。
【００８３】
・第１および第２実施形態の下部マッサージ部６０，１６０は、第１空気室６１が内側面３２に配置され、第２空気室６２が外側面３３に配置され、中間部分６０Ｃ，１６０Ｃが脚裏面３４に配置される。一方、変形例の下部マッサージ部６０，１６０は、第１空気室６１が外側面３３に配置され、第２空気室６２が内側面３２に配置され、中間部分６０Ｃ，１６０Ｃが脚裏面３４に配置される。
【００８４】
・第１および第２実施形態の下部マッサージ部６０，１６０は、上部マッサージ部５０よりも下方に配置される。一方、変形例の下部マッサージ部６０，１６０は、上部マッサージ部５０よりも上方に配置される。
【００８５】
・第１および第２実施形態の上部マッサージ部５０は、内側空気室５１および外側空気室５２が連通部５３により連通している。一方、変形例の上部マッサージ部５０は、内側空気室５１および外側空気室５２が独立している。この場合、上部マッサージ部５０を下部マッサージ部６０，１６０と同じ構成にすることもできる。
【００８６】
・第１および第２実施形態の右側の下部マッサージ部６０，１６０の第１空気室６１および左側の下部マッサージ部６０，１６０の第１空気室６１は、同一の供給系統を介して供給装置８０によりエアーの供給および排出が行われる。一方、変形例の右側の下部マッサージ部６０，１６０の第１空気室６１および左側の下部マッサージ部６０，１６０の第１空気室６１は、各別の供給系統を介して供給装置８０によりエアーの供給および排出が行われる。
【００８７】
・第１および第２実施形態の右側の下部マッサージ部６０，１６０の第２空気室６２および左側の下部マッサージ部６０，１６０の第２空気室６２は、同一の供給系統を介して供給装置８０によりエアーの供給および排出が行われる。一方、変形例の右側の下部マッサージ部６０，１６０の第２空気室６２および左側の下部マッサージ部６０，１６０の第２空気室６２は、各別の供給系統を介して供給装置８０によりエアーの供給および排出が行われる。
【００８８】
・第１および第２実施形態のマッサージ椅子１は、背もたれ１２および肘掛１３を有する。一方、変形例のマッサージ椅子１は、背もたれおよび肘掛１３の少なくとも一方を省略している。
【００８９】
・第１および第２実施形態の下部マッサージ部６０，１６０は、マッサージ椅子１に適用している。しかし、エアーが供給および排出される第１空気室と、エアーが供給および排出される第２空気室と、第１空気室および第２空気室の間に形成される中間部分を有する樹脂材料により一体成形されるエアーバッグであれば、いずれのエアーバッグに対しても本実施形態の下部マッサージ部６０，１６０の構成を適用することができる。
【符号の説明】
【００９０】
１…マッサージ椅子、２０…オットマン、３０…脚支持部、３１…溝部、６０，１６０，２６０…マッサージ部（エアーバッグ）、６０Ｃ，１６０Ｃ、２６０Ｃ…中間部分、６１…第１空気室、６２…第２空気室、６３，１６３，２６３…第１管路部、６３Ａ，１６３Ａ，２６３Ａ…先端部（第２空気室側の端部）、６４…第１供給口、６５，１６５，２６５…第２管路部、６５Ａ，１６５Ａ，２６３Ａ…先端部（第１空気室側の端部）、６６…第２供給口、６７，２６７…肉薄部、６７Ａ，１６７Ａ、２６７Ａ…中間肉薄部、７０…足裏支持部、７３…施療用突起、７４…電熱線、７５…幅部分（幅方向に沿う部分）、７６…奥行部分（奥行方向に沿う部分）。
【図１】
2014014437.tif 000003
【図２】
2014014437.tif 000004
【図３】
2014014437.tif 000005
【図４】
2014014437.tif 000006
【図５】
2014014437.tif 000007
【図６】
2014014437.tif 000008
【図７】
2014014437.tif 000009